(57)【特許請求の範囲】
【請求項１】
コーナー部に配置された薄板鋼板からなるコーナー部材と当該コーナー部材間に複数枚配置された薄板鋼板からなる矩形の壁用構造パネルを接合して形成された壁部の上面に、複数枚の薄板鋼板からなる矩形の天井または屋根用パネルを接合して形成された壁式構造のパネル構造体であって、前記コーナー部材は、側面にボルト接合用の孔が設けられたものであり、また前記壁用構造パネルは、矩形平面部とその四側に形成した折上げ部およびその折上げ部の先端に形成された内方折り曲げ部から構成されて、断面コの字状に形成された四側端形状を有し、前記四側の折上げ部にボルト接合用の孔が設けられたものであり、さらに前記天井または屋根用パネルは、ボルト接合用の孔が設けられたものであり、前記コーナー部材と前記壁用構造パネルの接合、前記壁用構造パネル間の接合、および前記壁用構造パネルと前記天井または屋根用パネルの接合が、前記コーナー部材、前記壁用構造パネル、前記天井または屋根用パネルの一方のボルト接合用の孔に設けられたかしめナットへの、他方のボルト接合用の孔から挿通されたボルトの締結によりなされている他に、前記壁用構造パネルがパネル構造体の内壁を構成し、薄板鋼板からなる壁用仕上げパネルが当該パネル構造体の外壁の一部または全部を構成するものであって、前記壁用仕上げパネルは、矩形平面部とその四側に形成した折上げ部およびその折上げ部の先端に形成された外方折り曲げ部から構成されており、当該外方折り曲げ部を前記壁用構造パネルの内方折り曲げ部に当接させてドリルねじあるいはボルトにより前記壁用構造パネルに取り付けられていることを特徴とする小規模ユニット型壁式パネル構造体。
【請求項２】
一つまたは複数の壁部に前記壁用構造パネルを配置しない部分を設け、その部分を開口部とした請求項１に記載の小規模ユニット型壁式パネル構造体。
【請求項３】
前記コーナー部材が、軽山形鋼形状の直角を成す２つの折り曲げ部を有するものであり、ボルト接合用の孔が当該折り曲げ部に設けられている請求項１に記載の小規模ユニット型壁式パネル構造体。
【請求項４】
前記コーナー部材が、軽山形鋼形状の直角を成す２つの折り曲げ部の先端に当該折り曲げ部に対してさらに内側に直角に曲げられた内側折り曲げ部を有するものであり、ボルト接合用のかしめナットが当該内側折り曲げ部に設けられている請求項１に記載の小規模ユニット型壁式パネル構造体。
【請求項５】
前記壁用構造パネルがパネル構造体の内壁を構成し、薄板鋼板からなる壁用仕上げパネル以外の壁仕上げ材が当該パネル構造体の外壁の一部または全部を構成するものである請求項１，２または３に記載の小規模ユニット型壁式パネル構造体。
【請求項６】
前記壁用構造パネルがパネル構造体の外壁を構成し、薄板鋼板からなる壁用仕上げパネルが当該パネル構造体の内壁の一部または全部を構成するものであって、前記壁用仕上げパネルは、矩形平面部とその四側に形成した折上げ部およびその折上げ部の先端に形成された外方折り曲げ部から構成されており、当該外方折り曲げ部を前記壁用構造パネルの内方折り曲げ部に当接させてドリルねじあるいはボルトにより前記壁用構造パネルに取り付けられている請求項１、２または４に記載の小規模ユニット型壁式パネル構造体。
【請求項７】
前記壁用構造パネルがパネル構造体の外壁を構成し、薄板鋼板からなる壁用仕上げパネル以外の壁仕上げ材が当該パネル構造体の内壁の一部または全部を構成するものである請求項１、２、４または６に記載の小規模ユニット型壁式パネル構造体。
【請求項８】
前記壁用構造パネルの折上げ部に切り欠きまたは孔が設けられており、内壁および外壁により形成された空間に電気配線および／または給排水用管路が配設された請求項１〜７のいずれか１項に記載の小規模ユニット型壁式パネル構造体。
【請求項９】
前記コーナー部材、前記壁用構造パネル、前記天井または屋根用パネルおよび前記壁用仕上げパネルが、Ｚｎ−Ａｌ−Ｍｇ系合金めっきが施された薄板鋼板からなり、さらに仕上げ塗装されたものである請求項１〜８のいずれか１項に記載の小規模ユニット型壁式パネル構造体。
【請求項１０】
請求項１〜９のいずれか１項に記載の小規模ユニット型壁式パネル構造体を複数組み合わせて一体としたことを特徴とする小規模ユニット型壁式パネル構造体。
【発明の詳細な説明】
【技術分野】
【０００１】
本発明は，小規模店舗の建屋や店舗内のキッチンブースなどに使用される小規模ユニット型壁式パネル構造体に関する。
【背景技術】
【０００２】
従来、駅の構内には売店が設けられていたが、昨今、駅の構内に設けられた一坪程度の広さの小規模な店舗で飲食物を販売することが盛んに行われるようになった。このような小規模店舗はイベント会場や公園、スーパーストア前の通路などにも設置されている。また、道路脇には一坪程度の広さのコイン式の無人精米所が散見される。さらに、セルフサービスの焼肉店や軽食店、あるいはコーヒー店のような店舗の一部に客席とは独立したキッチン用のブースを設けることも行われている。
【０００３】
このような小規模店舗の建屋やキッチンブースなどの建屋として、例えば特許文献１に見られるように、柱や梁で骨組みを形成した後、その骨組みに壁用のボード、屋根部材などを取り付けて敷設されるものがあった。また、特許文献２に見られるように、骨組みに外壁材、内装材などを組み付けたユニットとして完成したものを工場で製造し、複数のユニットを現場で組み立てて敷設されることも提案されている。
【特許文献１】特開２００１−２０７６６４号公報
【特許文献２】特開２００４−１２４５７７号公報
【発明の開示】
【発明が解決しようとする課題】
【０００４】
しかしながら、従来の方法で小規模店舗などの建屋を敷設すると、構造材、外壁材、内装材、天井材などにそれぞれ異なる材料が必要であり、材料が異なるために現場工事に異なる業者が携わる必要があった。また工場でユニットを製造するにしても、ユニットの材料によってはクレーン等の搬送手段が必要であり、ユニットを搬送するための広い通路を確保する必要もあった。
しかし、このような小規模店舗やキッチンブースなどは、駅の構内や店舗内に敷設されることが多いため、材料を敷設場所に簡便に搬送でき、場所をとらずに短時間で簡便に敷設できることが望まれる。また、販売状況やレイアウト変更に応じて簡便に解体撤去すること、さらには別の場所に再び敷設可能であることが望まれる。
【０００５】
本発明は、このような問題点を解消するために案出されたものであり、小規模店舗やキッチンブース、さらにはガードマンボックスなどの屋外や屋内の建屋に使用される小規模ユニット型壁式パネル構造体であって、単一の材料からなる資材を用い、資材を敷設場所に簡便に搬送でき、場所をとらずに短時間で簡便に敷設でき、解体、再敷設が容易な構造体を低コストで提供することを目的とする。
また、かしめナットを用いた接合法を採用しているため敷設が格段に簡便であるにもかかわらず、強度が高く、美観に優れた小規模ユニット型壁式パネル構造体を低コストで提供することを目的とする。
【課題を解決するための手段】
【０００６】
本発明の小規模ユニット型壁式パネル構造体は、その目的を達成するため、コーナー部に配置された薄板鋼板からなるコーナー部材と当該コーナー部材間に複数枚配置された薄板鋼板からなる矩形の壁用構造パネルを接合して形成された壁部の上面に、複数枚の薄板鋼板からなる矩形の天井または屋根用パネルを接合して形成された壁式構造のパネル構造体であって、前記コーナー部材は、側面にボルト接合用の孔が設けられたものであり、また前記壁用構造パネルは、矩形平面部とその四側に形成した折上げ部およびその折上げ部の先端に形成された内方折り曲げ部から構成されて、断面コの字状に形成された四側端形状を有し、前記四側の折上げ部にボルト接合用の孔が設けられたものであり、さらに前記天井または屋根用パネルは、ボルト接合用の孔が設けられたものであり、前記コーナー部材と前記壁用構造パネルの接合、前記壁用構造パネル間の接合、および前記壁用構造パネルと前記天井または屋根用パネルの接合が、前記コーナー部材、前記壁用構造パネル、前記天井または屋根用パネルの一方のボルト接合用の孔に設けられたかしめナットへの、他方のボルト接合用の孔から挿通されたボルトの締結によりなされていることを特徴とする。
一つまたは複数の壁部に、壁用構造パネルを配置しない部分を設け、その部分を開口部としてもよい。
【０００７】
コーナー部材としては、軽山形鋼形状の直角を成す２つの折り曲げ部を有するものであり、ボルト接合用の孔が当該折り曲げ部に設けられているもの、または、軽山形鋼形状の直角を成す２つの折り曲げ部の先端に当該折り曲げ部に対してさらに内側に直角に曲げられた内側折り曲げ部を有するものであり、ボルト接合用の孔が当該内側折り曲げ部に設けられているものが好ましい。
【０００８】
壁用構造パネルがパネル構造体の内壁を構成し、薄板鋼板からなる壁用仕上げパネルが当該パネル構造体の外壁の一部または全部を構成するようにしても良いし、壁用構造パネルが当該パネル構造体の外壁を構成し、薄板鋼板からなる壁用仕上げパネルが当該パネル構造体の内壁の一部または全部を構成するようにしても良い。この壁用仕上げパネルは、矩形平面部とその四側に形成した折上げ部およびその折上げ部の先端に形成された外方折り曲げ部から構成されたものであり、前記いずれの場合も、当該外方折り曲げ部を壁用構造パネルの内方折り曲げ部に当接させてドリルねじあるいはボルトにより壁用構造パネルに取り付けられていることが好ましい。
このとき、外壁または内壁を構成する壁用仕上げパネルの代わりに、壁用仕上げパネル以外の壁仕上げ材を使用して外壁または内壁の一部または全部を構成するようにしてもよい。
【０００９】
いずれの場合も、壁用構造パネルの折上げ部に切り欠きまたは孔を設けると、内壁および外壁により形成された空間に電気配線、給排水用管路を配設することができる。
また、各パネルを構成する薄板鋼板がＺｎ−Ａｌ−Ｍｇ系の合金めっき鋼板であり、各パネルが仕上げ塗装されたものであることが好ましい。
さらに、このような小規模ユニット型壁式パネル構造体を複数組み合わせて一体としてもよい。
【発明の効果】
【００１０】
本発明の小規模ユニット型壁式パネル構造体は、このパネル構造体を構成する基本的な部材であるコーナー部材、壁用構造パネル、天井または屋根用パネル、さらには壁用仕上げパネルが、いずれも薄板鋼板という単一の材料から製造されたものであって１社のみからの供給が可能であるため、従来の骨組み材や壁材など多様な材料を用いる構造物と比較して、発注から施工までの期間が大幅に短縮できる。他に、金属サイジング材などの壁仕上げ材を用いたとしても、その入手は容易である。
【００１１】
施工場所への資材の搬入も、それぞれのパネルを狭い通路を通って人力で持ち運び可能なサイズ、重量とすることにより、特別な搬送手段を用いることなく、駅の通用口や通用口ドアなどの狭い通路からの搬入が可能となる。コーナー部材と壁用構造パネルの接合や壁用構造パネル同士の接合、壁用構造パネルと天井または屋根用パネルの接合が、一方のボルト接合用孔に予め設けられたかしめナットへの、他方のボルト接合用の孔から挿通されたボルトの締結によりなされ、壁用構造パネルへの壁用仕上げパネルの取り付けもドリルねじあるいはボルトとかしめナットにより行われるため、現場での組み立てが格段に容易で一業者による短期間での施工が可能となり、結果的に低コストでのパネル構造体の提供が可能となる。また、同様の理由により解体も容易で、他の場所における再敷設も可能であるため、長期にわたってリサイクル使用が可能な地球に優しいエコ構造体の提供が可能となる。
【００１２】
コーナー部材、壁用の構造パネルは薄板鋼板製であるが、壁用構造パネルとして、矩形平面部とその四側に形成した折上げ部およびその折上げ部の先端に形成された内方折り曲げ部から構成されて、断面コの字状に形成された四側端形状を有するものを使用したことにより、骨組みがなくともコーナー部材と壁用構造パネルをボルト締結により接合した４つの壁によって天井または屋根用パネルを支えることが可能であり、さらにこの４つの壁と天井または屋根の５面を薄板鋼板からなる部材およびパネルで構成したことにより、全体として十分な強度を有する壁式構造のパネル構造体を提供できる。
また、パネル構造体の強度を損なわない範囲で一つまたは複数の壁部に、壁用構造パネルを配置しない部分を設け、その部分を開口部としたり、複数のパネル構造体を一体化したりすることにより、多様な形態のパネル構造体を提供できる。
【００１３】
壁用構造パネルにより外壁または内壁を構成し、さらに内壁または外壁の一部または全部に壁用仕上げパネルを組み付けることによって、パネル構造体の壁面強度がさらに向上するとともに材料の統一感により美観が向上する。内壁または外壁の一部または全部を壁用仕上げパネル以外の壁仕上げ材で構成することにより、使用する壁仕上げ材の種類により美観の向上やコストの削減を図ることができる。また、パネル構造体の壁部に内壁と外壁による袋状の空間が生まれ、この空間への電気配線、給配水管の敷設が可能となり、機能的に優れたものとなる。
【００１４】
各パネルを構成する薄板鋼板をＺｎ−Ａｌ−Ｍｇ系合金めっき鋼板とすることにより耐食性の高いパネル構造体を提供することができ、また、各パネルに仕上げ塗装を施すことにより、美観や宣伝効果に優れたパネル構造体を提供することができる。
【発明を実施するための最良の形態】
【００１５】
本発明者等は、小規模店舗や店舗内に設けられるキッチンブースなどの建屋を、簡便な手段により短期間で安価に設置することについて鋭意検討を重ねた。
その結果、これらを短期間で設置するためには、単一の材料からなる資材を用いることが適当であることを見出し、薄板鋼板から製造される小型のパネルを複数組み合わせて壁式構造の構造体とし、これを小規模店舗や店舗内に設けられるキッチンブースの建屋とすることが有効であることを見出した。
以下にその詳細を説明する。
【００１６】
まず、本発明の壁式構造のパネル構造体を構成するパネルなどについて説明する。
壁用構造パネル１は、図１（ａ）および（ｂ）にその表面および裏面を示すように、矩形平面部１ａとその四側に形成した折上げ部１ｂおよびその折上げ部の先端に形成された内方折り曲げ部１ｃから構成されたものであり、断面コの字状に形成された四側端形状を有する。矩形の薄板鋼板の角部を切り欠き、その４つの辺を略直角に折り上げて、さらに略直角に内方に折り曲げることにより製造される。このように四側端形状を断面コの字状としたことにより、例えば、厚さ１．２ｍｍまたは１．６ｍｍの４００Ｎ級薄板鋼板の使用で壁式構造のパネル構造体の壁を構成するに必要な耐力が得られる。
【００１７】
壁用構造パネルのサイズは、使用される箇所に応じて定めるが、おおむね１ｍ×１〜２ｍ程度とする。勿論、出入り口用開口や販売用開口の上部に配置される壁用構造パネルのサイズは、これらの開口の寸法とパネル構造体の高さ寸法を考慮して適切なサイズに定める。上述の薄板鋼板を用いた場合、パネルの大きさを１ｍ×２ｍ程度までとすることにより、パネル１枚あたりの重量が３０ｋｇ以下程度となり一人での持ち運びが可能となる。よって、壁用構造パネルの大きさはこの範囲内とする。
【００１８】
図２（ａ）に２つの壁用構造パネルの折上げ部に設けられたボルト接合用孔１ｄのうち一方にかしめナット１ｅが取り付けられたものを用いて、２つの壁用構造パネルをボルト６で接合したものの断面図を示す。図２（ｂ）は、図２（ａ）のＩ−Ｉ線部の部分斜視図である。
図２に示すとおり、壁用構造パネルの折上げ部１ｂには、ボルト接合用の孔１ｄを設けておく。壁用構造パネルは、他の壁用構造パネル、コーナー部材、および天井または屋根用パネルとこのボルト接合用の孔を用いてボルト締結により接合して用いられる。よって、互いに隣接して組み立てられる壁用構造パネル、コーナー部材、および天井または屋根用パネルのボルト接合用の孔が当接するように、壁用構造パネルの折上げ部１ｂをはじめ、コーナー部材の側面、天井または屋根パネルにボルト接合用の孔を設ける必要がある。また、現場での組み立てを容易にするために互いにボルト締結される２つのボルト接合用の孔の一方に予めナット１ｅを、かしめ接合法により取り付けておく。他方のボルト接合用の孔からボルト６を挿通しこのかしめナット１ｅに締結することにより接合がなされる。
【００１９】
パネル構造体のコーナー部に配置されるコーナー部材２は、側面に設けられたボルト接合用の孔と隣接する壁用パネル構造体の折上げ部に設けられたボルト接合用の孔を利用して、一方のボルト接合用の孔に予め設けられたかしめナットに、他方のボルト接合用の孔から挿通されたボルトをスムーズに締結できる形状であれば良い。
このコーナー部材の形状は、前記壁用構造パネルをパネル構造体の外壁となるように取り付けるか、あるいは内壁となるように取り付けるかによって、好適な形状が異なる。
【００２０】
まず、壁用構造パネルをパネル構造体の内壁とする場合、コーナー部材２は、図３（ａ）の部分斜視図に示すように、軽山形鋼形状の直角を成す２つの折り曲げ部２ａを有するものとする。そして、この折り曲げ部２ａに壁用構造パネル１と接合するためのボルト接合用の孔２ｄを設けたものとすることが好ましい。コーナー部材２は、薄板鋼板を軽山形鋼形状の部分を形成するよう直角に折り曲げて製造する。
【００２１】
さらに、このコーナー部材２の外側にコーナー部用仕上げパネル３を、壁用構造パネル１の外側に壁用仕上げパネル５を取り付けるとコーナー部および壁部の強度が増加し、見栄えも良い。コーナー部用仕上げパネル３を取り付ける場合は、図３（ａ）および図３（ｂ）の横断面図に示すように、コーナー部材２の折り曲げ部２ａの先端をさらに直角に折り曲げてコーナー部用仕上げパネルの取り付け部２ｃを形成しておく。コーナー部用仕上げパネル３は、薄板鋼板を軽山形鋼形状に直角に折り曲げ、その２つの折り曲げ部の両側を直角に折り曲げさらに外側に折り曲げて製造した、図３（ｂ）にその横断面図を示す形状のものが好適である。なお、壁用仕上げパネル５の好ましい形状や取り付け形態については後記する。
【００２２】
壁用構造パネルをパネル構造体の外壁とする場合、コーナー部材２’は、図４（ａ）に示すように、軽山形鋼形状の直角を成す２つの折り曲げ部２ａ’の先端にこの折り曲げ部に対してさらに内側に直角に曲げられた内側折り曲げ部２ｂ’を有し、この内側折り曲げ部２ｂ’にボルト接合用の孔２ｄ’を設けたものが好適である。
この場合も、コーナー部材２’の外側にコーナー部用仕上げパネル３’を、壁用構造パネル１の内側に壁用仕上げパネル５を取り付けるとコーナー部および壁部の強度が増加し、見栄えも良い。コーナー部用仕上げパネル３’を取り付ける場合は、図４（ｂ）にその横断面図を示すように、コーナー部材２’の内側折り曲げ部２ｂ’の先端をさらに直角に２回折り曲げてコーナー部用仕上げパネルの取り付け部２ｃ’を形成する。コーナー部用仕上げパネル３’は、薄板鋼板を長手方向に直角に折り曲げ、その両側を直角に折り曲げさらに外側に折り曲げて製造した、図４（ｂ）にその横断面図を示す形状のものが好適である。なお、壁用仕上げパネル５の好ましい形状や取り付け形態については、前記態様と同様、後記する。
【００２３】
いずれの場合でも、コーナー部材を構成する薄板鋼板としては、壁用構造パネルと同じ厚さの薄板鋼板を用いることができる。コーナー部用仕上げパネルを構成する薄板鋼板も同様である。コーナー部材およびコーナー部用仕上げパネルの直角折り曲げ部を形成するための折り曲げ加工は、パネル構造体の内壁および外壁のコーナー部の所望形状に合わせて曲率をつけても良いことはいうまでもない。
コーナー部材は、一見、骨組構造の柱のようではあるが、壁用構造パネルと同じ程度の厚さ、強さの薄板鋼板を折り曲げたものであり、これだけで天井または屋根用パネルの加重を支えるものではない。壁用構造パネルと共働して壁式構造のパネル構造体を構成するものである。
【００２４】
天井または屋根用パネル４にも、壁用構造パネルと同じ厚さの薄板鋼板を用いる。
壁用構造パネルと同様、矩形の薄板鋼板の角部を切り欠き、その４つの辺を略直角に折り上げて、さらに略直角に内方に折り曲げることにより製造された、矩形平面部４ａとその四側に形成した折上げ部４ｂおよびその折上げ部の先端に形成された内方折り曲げ部４ｃから構成された断面コの字状に形成された四側端形状を有するものとしてもよい。
この場合、図５（ａ）、（ｂ）の断面図および部分斜視図に示すように、天井または屋根用パネル４同士の接合は、折上げ部に設けられたボルト接合用の孔４ｄを用い、一方の天井または屋根用パネル４のボルト接合用の孔に設けられたかしめナット４ｅに他方のボルト接合用の孔から挿通されたボルト６を締結することにより行う。
なお、図５の態様では、天井または屋根用パネル４の上に、さらに、仕上げ屋根７が被せられている。この被せ屋根７は、天井または屋根用パネル４の内方折り曲げ部４ｃにドリルねじで固定することが好ましい。
【００２５】
また、図６（ａ）、（ｂ）の断面図および部分斜視図に示すように、天井または屋根用パネル４’は、矩形の薄板鋼板の長手方向の両側を直角に折り上げ、その先端をさらに内側または外側に直角に折り曲げて製造した、矩形平面部４ａ’とその両側に形成した折上げ部４ｂ’およびその折上げ部の先端に形成された内方または外方折り曲げ部４ｃ’から構成されたものでも良い。この場合、内方または外方折り曲げ部４ｃ’を単に重ね合わせることによって天井または屋根用パネル同士の接合ができる。この場合も、折上げ部４ｂ’にボルト接合用の孔４ｄ’を設け、一方の天井または屋根用パネル４’に取り付けられたかしめナット４ｅ’に他方のボルト接合用の孔から挿通されたボルト６を締結することにより天井または屋根用パネル同士の接合を行ってもよい。
なお、図６の態様でも、前記態様と同様、天井または屋根用パネル４’の上にさらに、仕上げ屋根が被せられていてもよい。
【００２６】
いずれにしても、図５（ａ）、図６（ａ）に示すように、壁用構造パネルにより形成されたパネル構造体の壁部と接合するために、天井または屋根用パネル４の矩形平面部４ａ、４ａ’の外周のうち、パネル構造体の壁部の壁用構造パネル１との接合予定部にはボルト接合用の孔４ｄ、４ｄ’を設けておく。
【００２７】
壁用仕上げパネル５は、矩形平面部５ａとその四側に形成した適宜幅の折上げ部５ｂおよびその折上げ部の先端に形成された外方折り曲げ部５ｃから構成される矩形のハット形状のパネルである。図３、図４にその一部の形状が示されている。矩形の薄板鋼板の角部に切り欠きを設け、４つの辺を略直角に折り上げたのちに、さらにその先端を外方に略直角に折り曲げることにより製造する。
【００２８】
壁用仕上げパネルは、その外方折り曲げ部を壁用構造パネルの内方折り曲げ部に重ね合わせて壁用構造パネルにドリルねじあるいはボルトにより取り付けて用いる。ボルトにより取り付ける際には、予め、壁用仕上げパネルにボルト挿通孔を、壁用構造パネルにかしめナットを設けておくことが好ましい。壁用仕上げパネルのサイズは壁用構造パネルに合わせたサイズとしてもよいし、壁用構造パネルの一部を覆うサイズや複数の壁用構造パネルを覆うサイズとしても良い。壁用構造パネルと同様、例えば、厚さ１．２ｍｍまたは１．６ｍｍの４００Ｎ級の薄板鋼板を用いて製造する。外方折り曲げ部６ｃにドリルねじによる取り付け用の下孔を設けておくことが望ましい。
【００２９】
このように壁用仕上げパネルを壁用構造パネルに取り付けることにより、壁部の強度が増し、パネル構造体の強度が増加する。
しかし、パネル構造体の用途、設置場所によっては、このような壁用仕上げパネル以外の金属サイジング材などの壁用仕上げ材を壁用構造パネルに取り付けて、外壁または内壁とすることも可能である。
壁用構造パネルと同様、コーナー部材、天井または屋根用パネル、壁用仕上げパネル、さらにはコーナー部用仕上げパネルも、人力で持ち運び可能な重量、サイズとする。
【００３０】
また、これらのパネルや部材を構成する薄板鋼板としては、耐食性を向上させるためにめっき鋼板の使用が望ましい。めっき鋼板としては、Ｚｎめっき、Ａｌめっき、Ｚｎ−Ａｌ合金めっき、あるいは耐食性に優れたＺｎ−Ａｌ−Ｍｇ系合金めっき鋼板の使用が望ましい。特に、Ａｌ：４．０〜１０．０質量％、Ｍｇ：１．０〜４．０質量％を含み、残部がＺｎからなるもの、さらに微量のＴｉやＢを含むもの、あるいはさらにＳｉを含むＺｎ−Ａｌ−Ｍｇ合金めっき鋼板の使用が望ましい。
さらに、美観を高めるためや宣伝効果を目的としてこれらのパネルや部材に予め仕上げ塗装を施しておいてもよい。
【００３１】
次に、これらのパネルや部材を組み立てて壁式構造のパネル構造体とする手順について説明する。
これらのパネルや部材、さらには必要に応じて金属サイジング材などの壁用仕上げ材をパネル構造体の設置場所に搬送し、コーナー部にコーナー部材を配置し、各コーナー部材の間に複数の壁用構造パネルを配置し、下から順に組み上げる。左右、上下に互いに隣接する壁用構造パネルの折上げ部に設けられた当接するボルト接合用の孔の一方に予め取り付けられたかしめナットに他方のボルト接合用の孔からボルトを通して締結することにより隣接する２つの壁用構造パネルを接合する。コーナー部材と壁用構造パネルの接合も同様にして行う。このようにして次々にコーナー部材と隣接する壁用構造パネルをボルト締結することにより接合して４面の壁を形成する。
パネル構造体の用途、設置場所によっては、何らかの基礎構造を設けておきその上にパネル構造体を組み立てるようにしてもよい。
【００３２】
壁用構造パネルの内方折り曲げ部をパネル構造体の外側に向けて組み立てることもできるし、壁用構造パネルの内方折り曲げ部をパネル構造体の内側に向けて組み立てることもできる。前者の場合は、コーナー部材として図３に示した軽山形鋼形状の直角を成す２つの折り曲げ部を有し、ボルト接合用の孔がこの折り曲げ部に設けられているものを用いると施工がしやすい。後者の場合は、コーナー部材として図４に示した軽山形鋼形状の直角を成す２つの折り曲げ部の先端に当該折り曲げ部に対してさらに内側に直角に曲げられた内側折り曲げ部を有し、ボルト接合用の孔がこの内側折り曲げ部に設けられているものを用いるとよい。
【００３３】
次に、形成された４面の壁の上に天井または屋根用パネルを載せ、ボルト締結により接合する。壁用構造パネルの折り曲げ部と天井または屋根用パネルの矩形平面部に設けられたボルト接合用の孔のうち、一方に設けられたかしめナットに他方のボルト接合用の孔からボルトを挿通して締結する。天井または屋根用パネル相互の接合については先に説明したとおりである。ボルトとかしめナットは上述のものを用いた。
【００３４】
このようにして十分な強度を有する壁式構造のパネル構造体が組み立てられる。
このパネル構造体の強度を損なわない範囲で、壁部の一部に壁用構造パネルを配置しない部分を設けてその部分を開口部とすれば、出入り口用、物品販売用窓口、明かり取り、換気用開口として利用することもできる。さらにはこの開口部にサッシ、シャッター、扉を取り付けて利用することもできる。開口部の位置、大きさを変えることにより、機能性、デザイン性に優れた多様なパネル構造体とすることができる。
【００３５】
最後に壁用仕上げパネルを取り付ける。
壁用構造パネルの内方折り曲げ部をパネル構造体の外側に向けて組み立てて、壁用構造パネルがパネル構造体の内壁を構成するようにした場合は、壁用構造パネルの外側に壁用仕上げパネルを取り付けてパネル構造体の外壁とすることができる。また、壁用構造パネルの内方折り曲げ部をパネル構造体の内側に向けて組み立てて、壁用構造パネルがパネル構造体の外壁を構成するように組み立てた場合は、壁用構造パネルの内側に壁用仕上げパネルを取り付けてパネル構造体の内壁とすることができる。  
【００３６】
いずれの場合も、壁用構造パネルの内方折り曲げ部１ｃに壁用仕上げパネルの外方折り曲げ部５ｃを当接させ、ドリルねじにより壁用構造パネルに壁用仕上げ用パネルを取り付ける。壁用仕上げパネルの外方折り曲げ部５ｃに予め下孔を形成しておくとよい。ドリルねじとしてはねじ径が４．２ｍｍ程度のものを用い、下孔の直径を３．５ｍｍ程度にしておくとよい。ドリルねじにより接合する代わりにボルトを用いてもよい。
【００３７】
壁用仕上げパネルがパネル構造体の外壁または内壁の全てを構成するようにしても良いが、壁用仕上げパネルが外壁または内壁の一部を構成するようにして、他の部分を金属サイジング材などの壁用仕上げ材で構成してもよい。パネル構造体の用途や設置場所によっては外壁または内壁の全てを壁用仕上げパネル以外の壁用仕上げ材で構成することもできる。
またいずれの場合も、コーナー部材の内側あるいは外側に図３、４に示したコーナー部仕上げパネル３、３’を取り付けると、コーナー部の強度が増し、見栄えも良くなる。
【００３８】
このようにパネル構造体の壁を内壁および外壁により袋状に形成すると、この内壁および外壁の間の中空部分は、電気配線、給排水用管路の配設空間として利用することができる。すなわち、壁用構造パネルの折上げ部のうち電気配線や給排水用管路を配設しようとする部分に切り欠きや孔を設けておき、コーナー部材と壁用構造パネルをボルト接合して内壁または外壁を形成した後、壁用仕上げパネルなどを取り付けて外壁または内壁を形成する前に、切り欠きや孔を利用して必要な電気配線や給排水用管路を配設すればよい。
【００３９】
パネル構造体の壁部の一部に壁用構造パネルを配置しない部分を設けたことにより形成した開口部にドアやサッシを組み付けてドアやサッシつきのパネル構造体とすることもできる。
必要により、天井または屋根用パネルに、図５（ａ）に示すような、屋根または天井を形成する仕上げパネルや他の屋根または天井用部材、さらには天井点検口、照明、看板を取り付けることもできる。
【００４０】
さらに、先に述べた小規模ユニット型壁式パネル構造体を複数組み合わせて一体として新たなパネル構造体とすることもできる。たとえば、壁用構造パネルを外壁としたパネル構造体において、他の小規模ユニット型壁式パネル構造体と接合される壁部を構成する壁用構造パネルの矩形平面部にボルト接合用の孔を設け、その孔に取り付けられたかしめナットを利用してボルト接合することにより、２つの小規模ユニット型壁式パネル構造体を組み合わせて一体化することができる。
複数の小規模ユニット型壁式パネル構造体を隣接して一体化したり、それらの間の壁部に開口部を設けて２つ分の面積を有するパネル構造体としたりすることにより、多様な態様で使用することができる。
【００４１】
図７は、小規模ユニット型壁式パネル構造体を組み立てる具体例を示したものである。
（ａ）パネル構造体のコーナー部となる位置にコーナー部材を配置し、下部の壁用構造パネルから接合する。パネル構造体の長手方向の２つの壁に左右２枚の壁用構造パネルを、短手方向の１つの壁に左右中３つの壁用構造パネルを、短手方向の１つの壁に間隔をあけて左右の２つの壁用構造パネルを配置し、コーナー部材と９枚の下部の壁用構造パネルを互いにボルト締結により接合する。（ｂ）次に上部の壁用構造パネルを接合する。長手方向の２つの壁のうち１つの壁には下部のパネルと間隔をあけて、高さ方向の寸法の短い２つのパネルを配置することにより、２つのコーナー部材間に亘って壁用構造パネルを配置しない部分を設けその部分を開口部とする。短手方向の２つの壁のうち間隔をあけて左右の２つの壁用構造パネルを配置した１つの壁には高さ方向の寸法の短いパネルを中に配置して、３つの壁用構造パネルに囲まれた壁用構造パネルを配置しない部分を設け、その部分を開口部とする。コーナー部材と１０枚の上部の壁用構造パネルを互いにボルト締結により接合するとともに上下に隣接する壁用構造パネルを相互にボルト締結により接合する。
【００４２】
（ｃ）このようにして内壁が形成されたパネル構造体の４つの壁部の上面に掛け渡すように屋根または天井パネルを配置し、この屋根または天井パネルと壁部上面を形成する壁用構造パネルとをボルト締結により接合する。（ｄ）次に、壁用構造パネルを覆うようにして壁用仕上げパネル、コーナー部用仕上げパネルをドリルねじにより取り付ける。外壁の一部にはサイジング材を組み付ける。（ｅ）屋根または天井パネルの上面にも屋根パネルを取り付ける。（ｆ）短手方向の１つの壁の開口部には出入り口としての片開き戸を、長手方向の１つの壁の開口部には引き違い窓を取り付ける。
この例は、壁用構造パネルを内壁として組み立て、外壁に仕上げパネルを用いたものであるが、壁用構造パネルを外壁とし、仕上げパネルを内壁とする場合も同様にして組み立てることができる。
【図面の簡単な説明】
【００４３】
【図１】壁用構造パネルの概略形状を説明する表面および裏面の斜視図
【図２】壁用構造パネルのボルト接合形態を説明する図
【図３】壁用構造パネルをパネル構造体の内壁とする場合の、コーナー部材の概略形状を説明する部分斜視図およびコーナー部の横断面図
【図４】壁用構造パネルをパネル構造体の外壁とする場合の、コーナー部材の概略形状を説明する部分斜視図およびコーナー部の横断面図
【図５】天井または屋根用パネルの一例を説明する部分斜視図および天井または屋根用パネル同士の接合態様を示す図
【図６】天井または屋根用パネルの他の例を説明する部分斜視図および天井または屋根用パネル同士の接合態様を示す図
【図７】パネル構造体を組み立てる具体例を説明する図
【符号の説明】
【００４４】
１・・・壁用構造パネル        ２、２’・・・コーナー部材    
３、３’・・・コーナー部用仕上げパネル      ４、４’・・・天井または屋根用パネル
５・・・壁用仕上げパネル      ６．・・・ボルト
【図１】
0005279358.tif 000002
【図２】
0005279358.tif 000003
【図３】
0005279358.tif 000004
【図４】
0005279358.tif 000005
【図５】
0005279358.tif 000006
【図６】
0005279358.tif 000007
【図７】
0005279358.tif 000008